(57)【要約】【課題】  コストの上昇、あるいは車両の複雑化や大型化を招くことなくエンジンのトルク振動を抑制することができるハイブリット車両の制御装置を提供する。【解決手段】  内燃機関Ｅ、または内燃機関Ｅに連結されたモータＭの少なくとも一方の動力により走行可能なハイブリット車両の制御装置において、ＦＩ／ＡＴ／ＭＧＥＣＵ３６及びＭＯＴＥＣＵ３３が、内燃機関Ｅのトルク振動を低減するために、内燃機関Ｅの爆発行程で発生するトルクに対して逆位相となるタイミングで、モータＭに矩形波状に変化するトルクを発生させることで、内燃機関Ｅのトルク変動の一番強い部分へ効果的にモータＭのトルクを作用させ、モータＭと連結された内燃機関Ｅのトルク振動を抑制する。【選択図】  図１
2005065408.tif 000002
【特許請求の範囲】
【請求項１】
エンジンまたは前記エンジンに連結された走行用モータの少なくとも一方の動力により走行可能なハイブリット車両の制御装置であって、
前記エンジンのトルク振動を低減するために、前記走行用モータに矩形波状に変化する制振トルクを発生させる制振制御手段
を備えたことを特徴とするハイブリット車両の制御装置。
【請求項２】
エンジンまたは前記エンジンに連結された走行用モータの少なくとも一方の動力により走行可能なハイブリット車両の制御装置であって、
前記エンジンのトルク振動を低減するために、前記エンジンに設けられた筒内圧センサの検出値に基づいて前記走行用モータに制振トルクを発生させる制振制御手段
を備えたことを特徴とするハイブリット車両の制御装置。
【請求項３】
エンジンまたは前記エンジンに連結された走行用モータの少なくとも一方の動力により走行可能なハイブリット車両の制御装置であって、
前記エンジンのトルク振動を低減するために、車室内の音を検出する音検出手段の検出値に基づいて前記走行用モータに制振トルクを発生させる制振制御手段
を備えたことを特徴とするハイブリット車両の制御装置。
【請求項４】
エンジンまたは前記エンジンに連結された走行用モータの少なくとも一方の動力により走行可能なハイブリット車両の制御装置であって、
前記エンジンのトルク振動を低減するために、車両の補機類を動作させる低電圧バッテリの電圧値に基づいて前記走行用モータに制振トルクを発生させる制振制御手段
を備えたことを特徴とするハイブリット車両の制御装置。
【請求項５】
前記制振制御手段が、前記エンジンの爆発行程で発生するトルクに対して逆位相の制振トルクを前記走行用モータに発生させる
ことを特徴とする請求項１から請求項４のいずれかに記載のハイブリット車両の制御装置。
【発明の詳細な説明】
【技術分野】
【０００１】
本発明は、エンジンまたはエンジンに連結された走行用モータの少なくとも一方の動力により走行可能なハイブリット車両の制御装置に関する。
【背景技術】
【０００２】
従来、例えばエンジンのトルク変動を抑制するためのトルク変動制御装置には、エンジンに駆動されるクランクシャフトに逆トルクを与える発電装置と、該クランクシャフトに正トルクを与える電気駆動装置とを備えたものがる。この装置では、エンジンの全気筒運転時または部分気筒運転時に、それぞれクランクシャフトに発生するトルクの周期的変動と同期して、トルク増大時には発電装置を作動させ、トルク減少時には電気駆動装置を作動させることにより、エンジンのトルク変動とは逆方向のトルクをクランクシャフトに与えてエンジンのトルク変動を抑制する。なお、部分気筒運転時には、全気筒運転時よりも大きなトルクをクランクシャフトに与えることにより、より強力にエンジンのトルク変動を抑制する（例えば、特許文献１参照。）。
【特許文献１】特開昭６１−６６８１７号公報
【発明の開示】
【発明が解決しようとする課題】
【０００３】
しかし、従来の技術では、エンジンのトルク変動は抑制できるものの、クランクシャフトに逆トルクを与える発電装置やクランクシャフトに正トルクを与える電気駆動装置等、本来車両が走行するために必要な装置以外の装置を備える必要があるため、車両の構造が複雑になると共に、車両のコストが上昇してしまうという問題があった。また、エンジンまたは走行用モータの少なくとも一方の動力により走行でき、低公害や低燃費を実現するハイブリット車両では、本来車両が走行するために必要な装置以外の装置を備えると、車両が複雑化し、コストが上昇するだけでなく、車両が必要以上に大型化してしまうことにより、燃費が悪化してしまうという問題があった。
【０００４】
本発明は、上記課題に鑑みてなされたもので、コストの上昇、あるいは車両の複雑化や大型化を招くことなくエンジンのトルク振動を抑制することができるハイブリット車両の制御装置を提供することを目的とする。
【課題を解決するための手段】
【０００５】
上記課題を解決するために、請求項１の発明に係るハイブリット車両の制御装置は、エンジン（例えば後述する実施例の内燃機関Ｅ）または前記エンジンに連結された走行用モータ（例えば後述する実施例のモータＭ）の少なくとも一方の動力により走行可能なハイブリット車両の制御装置であって、前記エンジンのトルク振動を低減するために、前記走行用モータに矩形波状に変化する制振トルクを発生させる制振制御手段（例えば後述する実施例のＦＩ／ＡＴ／ＭＧＥＣＵ３６及びＭＯＴＥＣＵ３３）を備えたことを特徴とする。
【０００６】
以上の構成を備えたハイブリット車両の制御装置は、制振制御手段が、エンジンと連結された走行用モータに、矩形波状に変化する制振トルクを発生させることにより、該走行用モータと連結されたエンジンのトルク振動を抑制することができる。
【０００７】
請求項２の発明に係るハイブリット車両の制御装置は、エンジンまたは前記エンジンに連結された走行用モータの少なくとも一方の動力により走行可能なハイブリット車両の制御装置であって、前記エンジンのトルク振動を低減するために、前記エンジンに設けられた筒内圧センサ（例えば後述する実施例の筒内圧センサＳ１６）の検出値に基づいて前記走行用モータに制振トルクを発生させる制振制御手段（例えば後述する実施例のＦＩ／ＡＴ／ＭＧＥＣＵ３６及びＭＯＴＥＣＵ３３）を備えたことを特徴とする。
【０００８】
以上の構成を備えたハイブリット車両の制御装置は、制振制御手段が、エンジンと連結された走行用モータに、筒内圧から判明するエンジンの実際の変動に応じた具体的な制振トルクを発生させることにより、該走行用モータと連結されたエンジンのトルク振動を抑制することができる。
【０００９】
請求項３の発明に係るハイブリット車両の制御装置は、エンジンまたは前記エンジンに連結された走行用モータの少なくとも一方の動力により走行可能なハイブリット車両の制御装置であって、前記エンジンのトルク振動を低減するために、車室内の音を検出する音検出手段（例えば後述する実施例の集音マイク３８）の検出値に基づいて前記走行用モータに制振トルクを発生させる制振制御手段（例えば後述する実施例のＦＩ／ＡＴ／ＭＧＥＣＵ３６及びＭＯＴＥＣＵ３３）を備えたことを特徴とするハイブリット車両の制御装置。
【００１０】
以上の構成を備えたハイブリット車両の制御装置は、制振制御手段が、エンジンと連結された走行用モータに、音検出手段の検出する車室内のこもり音悪化に応じた具体的な制振トルクを発生させることにより、該走行用モータと連結されたエンジンのトルク振動を抑制することができる。
【００１１】
請求項４の発明に係るハイブリット車両の制御装置は、エンジンまたは前記エンジンに連結された走行用モータの少なくとも一方の動力により走行可能なハイブリット車両の制御装置であって、前記エンジンのトルク振動を低減するために、車両の補機類（例えば後述する実施例の制振装置１９）を動作させる低電圧バッテリ（例えば後述する実施例の補助バッテリ４）の電圧値に基づいて前記走行用モータに制振トルクを発生させる制振制御手段（例えば後述する実施例のＦＩ／ＡＴ／ＭＧＥＣＵ３６及びＭＯＴＥＣＵ３３）を備えたことを特徴とする。
【００１２】
以上の構成を備えたハイブリット車両の制御装置は、制振制御手段が、エンジンと連結された走行用モータに、低電圧バッテリの電圧値の低下により発生する例えば他の制振装置における車体振動の抑制力低下に応じた具体的な制振トルクを発生させることにより、該走行用モータと連結されたエンジンのトルク振動を抑制することができる。
【００１３】
請求項５の発明に係るハイブリット車両の制御装置は、請求項１から請求項４のいずれかに記載のハイブリット車両の制御装置において、前記制振制御手段が、前記エンジンの爆発行程で発生するトルクに対して逆位相の制振トルクを前記走行用モータに発生させることを特徴とする。
【００１４】
以上の構成を備えたハイブリット車両の制御装置は、制振制御手段が、エンジンの爆発行程で発生するトルクに対して逆位相の制振トルクを走行用モータに発生させることにより、エンジンのトルク変動の一番強い部分へ効果的に走行用モータの制振トルクを作用させることができる。
【発明の効果】
【００１５】
本発明のハイブリット車両の制御装置によれば、制振制御手段が、エンジンと連結された走行用モータに、矩形波状に変化する制振トルクを発生させ、該走行用モータと連結されたエンジンのトルク振動を抑制することで、本来車両が走行するために必要な装置以外の装置を備える必要なく、エンジンのトルク振動を抑制することができる。
また、本発明のハイブリット車両の制御装置によれば、制振制御手段が、筒内圧センサが検出するエンジンの筒内圧、あるいは音検出手段により集音された車室内の音、あるいは低電圧バッテリの電圧値に基づいて制振トルクを制御することで、エンジンの変動、車室内のこもり音悪化、電圧の低下により発生する例えば他の制振装置における車体振動の抑制力低下に応じた具体的な制振トルクの制御を可能とし、本来車両が走行するために必要な装置以外の装置を備える必要なく、エンジンのトルク振動を的確に抑制することができる。
【００１６】
更に、エンジンの爆発行程で発生するトルクに対して逆位相となるタイミングで制振トルクを発生させることで、より効果的にエンジンのトルク振動を抑制することができる。
従って、コストの上昇、あるいは車両の複雑化や大型化を招くことなく、エンジンのトルク振動を抑制するハイブリット車両の制御装置を実現することができるという効果が得られる。
【発明を実施するための最良の形態】
【００１７】
以下、図面を参照して本発明の実施例について説明する。
【実施例】
【００１８】
（全体構成）
図１は、本発明の一実施例のハイブリッド車両の制御装置に係るパラレルハイブリッド車両の構成を示す図であって、パラレルハイブリッド車両は、内燃機関Ｅ、モータＭ、トランスミッションＴを直列に直結した構造を備えている。図１において、内燃機関Ｅ及びモータＭの両方の駆動力は、例えばオートマチックトランスミッション（ＡＴ）あるいはマニュアルトランスミッション（ＭＴ）等のトランスミッションＴから、左右の駆動輪（前輪あるいは後輪）Ｗ，Ｗ間で駆動力を配分するディファレンシャルギア（図示略）を介して、車両の駆動輪Ｗ，Ｗに伝達される。また、ハイブリッド車両の減速時に駆動輪Ｗ側からモータＭ側に駆動力が伝達されると、モータＭは発電機として機能し、いわゆる回生制動力を発生することで、車体の運動エネルギーを電気エネルギーとして回収する。
【００１９】
例えば３相のＤＣブラシレスモータ等からなるモータＭは、パワードライブユニット（ＰＤＵ）２に接続されている。パワードライブユニット２は、例えばトランジスタのスイッチング素子を複数用いてブリッジ接続してなるブリッジ回路を具備すると共に、パルス幅変調（ＰＷＭ）によりモータＭを駆動するＰＷＭインバータを備え、モータＭと電力（モータＭの力行（駆動またはアシスト）動作時にモータＭに供給される供給電力や、回生動作時にモータＭから出力される回生電力）の授受を行う高電圧系（例えば１４４［Ｖ］系）のニッケル−水素バッテリ（以下、バッテリと略す）３が接続されている。また、モータＭの駆動及び回生作動は、制御部１からの制御指令を受けてパワードライブユニット２により行われる。すなわち、パワードライブユニット２は、例えばモータＭの駆動時には、制御部１から出力されるトルク指令に基づき、バッテリ３から出力される直流電力を３相交流電力に変換してモータＭへ供給する。一方、モータＭの回生動作時には、モータＭから出力される３相交流電力を直流電力に変換してバッテリ３を充電する。
【００２０】
そして、各種補機類を駆動するための低電圧系（例えば１２［Ｖ］系）の補助バッテリ４は、ＤＣ−ＤＣコンバータであるダウンバータ５を介して、パワードライブユニット２及びバッテリ３に対して並列に接続されている。制御部１により制御されるダウンバータ５は、パワードライブユニット２やバッテリ３の電圧を降圧して補助バッテリ４を充電する。
【００２１】
また、内燃機関Ｅのクランクシャフトには、例えばベルト及びクラッチ等を介して、空調装置用のハイブリッドエアコンコンプレッサ（ＨＢＡＣ）６に具備される空調装置用モータ（図示略）の回転軸が接続され、この空調装置用モータは、空調装置用インバータ（ＨＢＡＣ  ＩＮＶ）７に接続されている。空調装置用インバータ７は、パワードライブユニット２及びバッテリ３に対して並列に接続され、制御部１の制御により、パワードライブユニット２やバッテリ３から出力される直流電力を３相交流電力に変換して空調装置用モータへ供給し、ハイブリッドエアコンコンプレッサ６を駆動制御する。
すなわち、前記ハイブリッドエアコンコンプレッサ６は、少なくとも内燃機関Ｅの駆動力または空調装置用モータの力行動作時の駆動力のいずれか一方の駆動力により、駆動負荷量、例えば冷媒の吐出容量が可変制御される。ここで、ハイブリッドエアコンコンプレッサ６における、「ハイブリッド」とは、内燃機関ＥとモータＭとのいずれでも駆動できることを意味する。
【００２２】
なお、内燃機関Ｅと空調装置用モータとの間には、例えば内燃機関Ｅのクランクシャフトと一体に設けられたクランク軸プーリと、このクランク軸プーリと対をなし、クラッチを介して空調装置用モータの回転軸と接続可能な駆動軸と一体に設けられた駆動軸プーリと、クランク軸プーリ及び駆動軸プーリ間に掛け渡されたベルトとが備えられている。すなわち、クランク軸プーリ及び駆動軸プーリ間においては、ベルトを介して駆動力が伝達される。
【００２３】
また、内燃機関Ｅは、いわゆるＳＯＨＣのＶ型６気筒エンジンであって、一方のバンクの３つの気筒は気筒休止運転可能な可変バルブタイミング機構ＶＴを備えた構造で、他方のバンクの３つの気筒は気筒休止運転（休筒運転）を行わない通常の動弁機構（図示略）を備えた構造となっている。そして、気筒休止可能な３気筒は各々２つの吸気弁と２つの排気弁が油圧ポンプ１１、スプールバルブ１２、気筒休止側通路１３、気筒休止解除側通路１４を介して可変バルブタイミング機構ＶＴにより閉状態を維持できるような構造となっている。すなわち、内燃機関Ｅは、片側のバンクの３つの気筒が休止した状態の３気筒運転（休筒運転）と、両方のバンクの６気筒全部が駆動する６気筒運転（全筒運転）とが切り換えられることとなる。
【００２４】
具体的には、油圧ポンプ１１から潤滑系配管１１ａを介してエンジン潤滑系へ供給される作動油の一部が、制御部１により制御されるソレノイドを具備するスプールバルブ１２を介して、気筒休止可能なバンクの気筒休止側通路１３に供給されると、各々ロッカーシャフト１５に支持され、それまで一体で駆動していたカムリフト用ロッカーアーム１６ａ（１６ｂ）と弁駆動用ロッカーアーム１７ａ，１７ａ（１７ｂ，１７ｂ）が分離して駆動可能となる。そのため、カムシャフト１８の回転により駆動するカムリフト用ロッカーアーム１６ａ，１６ｂの駆動力が弁駆動用ロッカーアーム１７ａ，１７ｂに伝達されず、吸気弁と排気弁が閉状態のままとなる。これにより３つの気筒の吸気弁と排気弁が閉状態となる休筒運転を行うことができる。なお、内燃機関Ｅは制振装置（ＡＣＭ：Active Control Engine Mount）１９を介して車体に搭載され、制振装置１９は、内燃機関Ｅの運転状態つまり３気筒運転（休筒運転）と６気筒運転（全筒運転）との切り替えに伴う車体振動の発生を抑制するようになっている。
【００２５】
また、この内燃機関Ｅには、スロットルバルブ（図示略）を電子制御する電子制御スロットル（ＥＴＣＳ：Electronic Throttle Control System）２０が備えられている。
電子制御スロットル２０は、例えば、運転者によるアクセルペダル（図示略）の操作量に係るアクセルペダル開度ＡＰ、及び、例えば車両の走行速度（車速）ＶＰやエンジン回転数ＮＥ等の車両の運転状態、及び、例えば内燃機関ＥとモータＭとの間のトルク配分等に基づいて制御部１にて算出されるスロットル開度に応じて、ＥＴＣＳドライバを駆動し、スロットルバルブを直接的に制御する。
【００２６】
また、例えばオートマチックトランスミッション（ＡＴ）とされるトランスミッションＴは、ロックアップクラッチ（ＬＣ）２１を具備するトルクコンバータ２２を備えて構成され、さらに、トルクコンバータ２２及びトランスミッションＴの変速動作を駆動制御するための油圧を発生する電動オイルポンプ２３が備えられている。なお、電動オイルポンプ２３は、バッテリ３からの電力供給により制御部１により駆動制御される。
【００２７】
トルクコンバータ２２は、内部に封入された作動油（ＡＴＦ：Automatic Transmission Fluid）の螺旋流によってトルクの伝達を行うものであって、ロックアップクラッチ２１の係合が解除されたＬＣ＿ＯＦＦ状態では、作動油を介してモータＭの回転軸からトランスミッションＴの入力軸へとトルクが伝達（例えば、増幅伝達）される。一方、ロックアップクラッチ２１が係合状態に設定されたＬＣ＿ＯＮ状態では、作動油を介さず直接にモータＭの回転軸からトランスミッションＴの入力軸へと回転駆動力が伝達される。
【００２８】
また、ブレーキペダル（図示略）には倍力装置ＢＳが連係され、この倍力装置ＢＳにはブレーキマスターパワー内負圧を検出するマスターパワー内負圧センサＳ９が設けられている。
また、駆動輪Ｗにはブレーキデバイス２４が備えられ、このブレーキデバイス２４は制御部１の制御によって車両の急激な挙動変化の発生を抑制するものであって、例えば、滑りやすい路面等での駆動輪Ｗの空転を防止したり、オーバーステアやアンダーステア等の横すべリの発生を抑制したり、制動時に駆動輪Ｗがロック状態となることを防止して、車両の所望の駆動力及び操舵能力を確保し、車両の姿勢を安定化させると共に、クリープ力による走行を補助し、例えば内燃機関Ｅの停止時における勾配路での後退防止等を行う。
【００２９】
なお、制御部１には、例えば、車両の走行速度ＶＰを検出する車速センサＳ１からの検出信号と、エンジン回転数ＮＥを検出するエンジン回転数センサＳ２からの検出信号と、トランスミッションＴのシフトポジションＳＨを検出するシフトポジションセンサＳ３からの検出信号と、ブレーキ（Ｂｒ）ペダルの操作状態ＢＲを検出するブレーキスイッチＳ４からの検出信号と、アクセルペダルの操作量に係るアクセルペダル開度ＡＰを検出するアクセルペダル開度センサＳ５からの検出信号とが入力されている。
【００３０】
また、制御部１には、例えば、スロットル開度ＴＨを検出するスロットル開度センサＳ６からの検出信号と、吸気管負圧ＰＢを検出する吸気管負圧センサＳ７からの検出信号と、バッテリ３の温度ＴＢＡＴを検出するバッテリ温度センサＳ８からの検出信号と、マスターパワー内負圧センサＳ９からの検出信号と、気筒休止時において気筒休止解除側通路１４の油圧を検出するＰＯＩＬセンサＳ１０からの検出信号とが入力されている。
【００３１】
更に、制御部１には、例えば、パワードライブユニット２の温度ＴＰＤＵを検出するＰＤＵ温度センサＳ１１からの検出信号と、ダウンバータ５の温度ＴＤＶを検出するＤＶ温度センサＳ１２からの検出信号等と、モータＭの温度ＴＭＯＴを検出するモータ温度センサＳ１３からの検出信号と、モータＭのロータ角度θＭＯＴを検出するレゾルバを備えた回転角センサＳ１４からの検出信号と、内燃機関Ｅのピストンの圧縮上死点位置ＴＤＣを検出するクランク角センサＳ１５からの検出信号（ＴＤＣパルス）と、内燃機関Ｅの筒内圧ＣＰＬを検出する筒内圧センサＳ１６からの検出信号とが入力されている。
【００３２】
またこの他、制御部１には、例えば、バッテリ３の入出力電流ＡＢＡＴを検出するバッテリ電流センサＳ１７の検出信号と、バッテリ３の入出力電圧ＶＢＡＴを検出するバッテリ電圧センサＳ１８の検出信号と、補助バッテリ４の入出力電圧ＨＶＢＡＴを検出する補助バッテリ電圧センサＳ１９の検出信号とが入力されている。
【００３３】
また、制御部１には、内燃機関Ｅのエンジン回転数ＮＥをもとにして制御周波数を検出し、車載オーディオと連動してスピーカーから打ち消し音を出力することにより、休筒運転時のこもり音を効果的に低減するアクティブノイズコントロール（Active Noise Control）を行うために、車室内の音を集音する集音マイク（ＡＮＣ＿ＭＩＣ）３８が接続されている。
【００３４】
また、制御部１は、例えば、ブレーキデバイス２４を駆動制御して車両の挙動を安定化させるＶＳＡ（ＶＳＡ：Vehicle Stability Assist）ＥＣＵ３１と、制振装置１９を駆動制御して内燃機関Ｅの運転状態に起因する車体振動の発生を抑制するＡＣＭＥＣＵ３２と、モータＭの駆動及び回生作動を制御するＭＯＴＥＣＵ３３と、空調装置用のハイブリッドエアコンコンプレッサ６及び空調装置用インバータ７を駆動制御するＡ／ＣＥＣＵ３４と、例えばパワードライブユニット２及びバッテリ３及びダウンバータ５及びモータＭ等からなる高圧電装系の監視及び保護やパワードライブユニット２及びダウンバータ５の動作制御を行うＨＶＥＣＵ３５とを備えて構成されている。
【００３５】
更に、制御部１は、例えば内燃機関Ｅへの燃料供給や点火タイミング等を制御したり、例えばアクセルペダル開度ＡＰと、エンジン回転数ＮＥと、車両の走行速度ＶＰと、シフトポジションＳＨと、ブレーキペダルの操作状態ＢＲと、車両制動時に駆動輪Ｗがロックされることをブレーキデバイス２４によって防止するアンチロックブレーキ動作の作動状態ＡＢＳとの各検出信号に基づき、車両の運転者により要求されるトルク値（ドライバ要求トルク）を算出し、車両の走行速度ＶＰが目標車速となるように制御する定速走行制御時や、先行車両に対して所定車間距離を維持した状態で追従する追従走行制御時等に要求されるトルク値、あるいはバッテリ３及び補助バッテリ４の充電状態に応じて設定される充電及び放電に対する制限量及び要求量や、モータ巻線を保護するための制限トルクを考慮しながら、内燃機関ＥとモータＭとのトルク配分の算出や内燃機関Ｅの休筒運転の実行有無に係る休筒判断を実行して内燃機関Ｅのスプールバルブ１２を制御したり、算出されたトルク配分に従って、モータＭへの要求トルクをＭＯＴＥＣＵ３３に対して通知すると共に、内燃機関Ｅに備えられた電子制御スロットル２０のスロットル開度を制御するＦＩ／ＡＴ／ＭＧＥＣＵ３６を備えている。
【００３６】
なお、上述のＶＳＡＥＣＵ３１と、ＡＣＭＥＣＵ３２と、ＭＯＴＥＣＵ３３と、Ａ／ＣＥＣＵ３４と、ＨＶＥＣＵ３５と、ＦＩ／ＡＴ／ＭＧＥＣＵ３６とは相互に通信可能に接続されている。また、上記各ＥＣＵ３１，…，３６は各種の状態量を表示する計器類からなるメータ３７に接続されている。
【００３７】
次に、内燃機関Ｅの休筒運転時間を拡大するためのモータＭを利用した制振（モータ制振）動作について、図面を参照して説明する。
（モータ制振要否判断処理）
まず、モータ制振の要否を判断する制御部１によるモータ制振要否判断処理について説明する。図２は、本実施例のハイブリット車両の制御装置の制御部１によるモータ制振要否判断処理動作を示すフローチャートである。
図２において、まず制御部１のＦＩ／ＡＴ／ＭＧＥＣＵ３６は、車両の運転者により要求されるトルク値（ドライバ要求トルク）、あるいは車両の走行速度ＶＰが目標車速となるように制御する定速走行制御時や、先行車両に対して所定車間距離を維持した状態で追従する追従走行制御時等に要求されるトルク値等から、内燃機関Ｅを休筒運転して走行することが可能か否かを判定する（ステップＳＴ１）。
【００３８】
ステップＳＴ１において、内燃機関Ｅを休筒運転して走行することが不可能な場合（ステップＳＴ１のＮＯ）、ＦＩ／ＡＴ／ＭＧＥＣＵ３６は、内燃機関Ｅの全筒運転を実行する（ステップＳＴ２）。
一方、ステップＳＴ１において、内燃機関Ｅを休筒運転して走行することが可能な場合（ステップＳＴ１のＹＥＳ）、次にＦＩ／ＡＴ／ＭＧＥＣＵ３６は、集音マイク３８で集音された車室内の音等、車両の状況から、モータ制振なしで内燃機関Ｅの休筒運転が可能か否かを判定する（ステップＳＴ３）。
ステップＳＴ３において、モータ制振なしで内燃機関Ｅの休筒運転が可能な場合（ステップＳＴ３のＹＥＳ）、ＦＩ／ＡＴ／ＭＧＥＣＵ３６は、内燃機関Ｅの休筒運転を実行する（ステップＳＴ４）。
【００３９】
また、ステップＳＴ３において、モータ制振なしで内燃機関Ｅの休筒運転が不可能な場合（ステップＳＴ３のＮＯ）、ＦＩ／ＡＴ／ＭＧＥＣＵ３６は、車両の走行速度ＶＰや車両の状態等から、モータ制振が可能な状態であるか否かを判定する（ステップＳＴ５）。
ステップＳＴ５において、モータ制振が可能な状態ではない場合（ステップＳＴ５のＮＯ）、ステップＳＴ４へ進み、ＦＩ／ＡＴ／ＭＧＥＣＵ３６は、内燃機関Ｅの休筒運転を実行する（ステップＳＴ４）。
一方、ステップＳＴ５において、モータ制振が可能な状態である場合（ステップＳＴ５のＹＥＳ）、ＭＯＴＥＣＵ３３は、モータ制振における制振トルクのリミット値を算出する（ステップＳＴ６）。
次に、ＭＯＴＥＣＵ３３は、モータ制振における制振トルク指示値を算出する（ステップＳＴ７）。なお、制振トルクのリミット値の算出処理、及び制振トルク指示値の算出処理については、詳細を後述する。
【００４０】
また、ＭＯＴＥＣＵ３３においてモータ制振における制振トルクのリミット値、及び制振トルク指示値が算出されたら、ＦＩ／ＡＴ／ＭＧＥＣＵ３６は、制振トルク指示値が制振トルクのリミット値より小さいか否かを判定することにより、モータ制振許可判断を実行する（ステップＳＴ８）。
もし、制振トルク指示値が制振トルクのリミット値以上の場合（ステップＳＴ８のＮＯ）、ステップＳＴ２へ進み、ＦＩ／ＡＴ／ＭＧＥＣＵ３６は、モータ制振許可判断を「モータ制振不可」とし、内燃機関Ｅの全筒運転を実行する（ステップＳＴ２）。
一方、制振トルク指示値が制振トルクのリミット値より小さい場合（ステップＳＴ８のＹＥＳ）、ＦＩ／ＡＴ／ＭＧＥＣＵ３６は、モータ制振許可判断を「モータ制振可」とし、内燃機関Ｅの休筒運転を実行する（ステップＳＴ９）と共に、ＭＯＴＥＣＵ３３は、モータＭを利用したモータ制振を実行する（ステップＳＴ１０）。なお、モータＭを利用したモータ制振については、詳細を後述する。
【００４１】
（制振トルクリミット値算出処理）
次に、図２に示すモータ制振要否判断処理のステップＳＴ６で実行される、モータ制振における制振トルクのリミット値の算出処理の詳細について説明する。
まず、モータ制振における制振トルクのリミット値を決定する要素について簡単に説明する。図３は、モータ制振における制振トルクのリミット値を決定する要素であるモータＭのトルクリミット値を、横軸はモータ軸回転数、縦軸はモータ軸駆動トルクとして示す図である。一方、図４は、モータ制振における制振トルクのリミット値を決定する要素であるバッテリ３の電力リミット値を、横軸はバッテリ温度、縦軸はバッテリ電力（出力値、回生値）として示す図である。
【００４２】
図３に示すように、モータＭのモータ軸駆動トルクは、モータに供給される電力が一定であれば、図３に示す等電力線によって、モータ軸回転数に対して一意にモータ軸駆動トルクが決定される。また、図４に示すように、バッテリ３の温度変化によってバッテリ３から供給される電力が減少する場合、モータＭのモータ軸駆動トルクも制限され、図３に示す等電力線が、「等電力線／高」から「等電力線／低」の方向へ制限され、モータ軸駆動トルク＝０［Ｎ・ｍ］の方向へ近づく。また、モータＭのモータ軸駆動トルクは、モータＭの温度上昇によっても制限されるため、モータＭの温度が上昇する程、モータ軸駆動トルクは小さくなる。従って、図３に示すように、モータ軸回転数が低回転の場合には、モータＭの温度上昇によるモータ軸駆動トルクの制限を考慮しながらモータ制振における制振トルクの振幅Ｍを決定する必要がある。また、モータ軸回転数が高回転の場合には、バッテリ３の温度変化によるモータ軸駆動トルクの制限を考慮しながらモータ制振における制振トルクの振幅Ｍを決定する必要があり、モータ軸回転数が高回転になる程、モータ制振における制振トルクの振幅Ｍを小さくしなければならなくなる。
【００４３】
そこで、以下の手順でモータ制振における制振トルクのリミット値の算出を行う。図５は、ＭＯＴＥＣＵ３３による制振トルクリミット値算出処理動作を示すフローチャートである。
図５において、ＭＯＴＥＣＵ３３は、モータＭの温度が規定値１（例えば、規定値１は１５０［℃］とする）より大きいか否かを判定する（ステップＳＴ２１）。
ステップＳＴ２１において、モータＭの温度が規定値１以下の場合（ステップＳＴ２１のＮＯ）、ＭＯＴＥＣＵ３３は、次にモータＭの温度が規定値２（但し、規定値２＜規定値１で、例えば、規定値２は１２０［℃］とする）より大きいか否かを判定する（ステップＳＴ２２）。
【００４４】
ステップＳＴ２２において、モータＭの温度が規定値２より大きい場合（ステップＳＴ２２のＹＥＳ）、ＭＯＴＥＣＵ３３は、モータＭの温度条件から、例えばモータ条件トルクリミット値＝±４０［Ｎ・ｍ］と設定する（ステップＳＴ２３）。
そして、次にＭＯＴＥＣＵ３３は、パワードライブユニット（ＰＤＵ）２の温度が規定値３（但し、規定値３＜規定値２で、例えば、規定値３は９０［℃］とする）より大きいか否かを判定する（ステップＳＴ２４）。
一方、ステップＳＴ２２において、モータＭの温度が規定値２以下の場合（ステップＳＴ２２のＮＯ）、ＭＯＴＥＣＵ３３は、何もせずにステップＳＴ２４へ進み、パワードライブユニット２の温度が規定値３より大きいか否かを判定する（ステップＳＴ２４）。
【００４５】
また、ステップＳＴ２４において、パワードライブユニット２の温度が規定値３以下の場合（ステップＳＴ２４のＮＯ）、ＭＯＴＥＣＵ３３は、次にパワードライブユニット２の温度が規定値４（但し、規定値４＜規定値３で、例えば、規定値４は７５［℃］とする）より大きいか否かを判定する（ステップＳＴ２５）。
【００４６】
ステップＳＴ２５において、パワードライブユニット２の温度が規定値４より大きい場合（ステップＳＴ２５のＹＥＳ）、ＭＯＴＥＣＵ３３は、パワードライブユニット（ＰＤＵ）２の温度条件から、例えばＰＤＵ条件トルクリミット値＝±６０［Ｎ・ｍ］と設定する。
そして、次にＭＯＴＥＣＵ３３は、バッテリ３の温度が規定値５より大きいか、あるいはバッテリ３の温度が規定値６より小さいか（但し、規定値６＜規定値５＜規定値４で、例えば、規定値５は４５［℃］、規定値６は０［℃］とする）否かを判定する（ステップＳＴ２７）。
一方、ステップＳＴ２５において、パワードライブユニット２の温度が規定値４以下の場合（ステップＳＴ２５のＮＯ）、ＭＯＴＥＣＵ３３は、何もせずにステップＳＴ２７へ進み、バッテリ３の温度が規定値５より大きいか、あるいはバッテリ３の温度が規定値６より小さいか否かを判定する（ステップＳＴ２７）。
【００４７】
そして、ステップＳＴ２７において、バッテリ３の温度が規定値５以下で、かつバッテリ３の温度が規定値６以上の場合（ステップＳＴ２７のＮＯ）、ＭＯＴＥＣＵ３３は、バッテリ３の端子電圧が、その上下限値を超えていないか否かを判定する（ステップＳＴ２８）。
ステップＳＴ２８において、バッテリ３の端子電圧がその上下限値を超えていない場合（ステップＳＴ２８のＮＯ）、ＭＯＴＥＣＵ３３は、バッテリ温度に応じて決定されるバッテリ電力の条件から、バッテリ条件トルクリミット値を算出する（ステップＳＴ２９）。
そして、ステップＳＴ２３、ステップＳＴ２６、ステップＳＴ２９で設定された各条件におけるトルクリミット値の中でその絶対値が最小のトルクリミット値を、モータ制振の制振トルクリミット値として設定する（ステップＳＴ３０）。
【００４８】
一方、ステップＳＴ２１において、モータＭの温度が規定値１より大きい場合（ステップＳＴ２１のＹＥＳ）、あるいはステップＳＴ２４において、パワードライブユニット２の温度が規定値３より大きい場合（ステップＳＴ２４のＹＥＳ）、ステップＳＴ２７において、バッテリ３の温度が規定値５より大きいか、またはバッテリ３の温度が規定値６より小さい場合（ステップＳＴ２７のＹＥＳ）、あるいはステップＳＴ２８において、バッテリ３の端子電圧がその上下限値を超えている場合（ステップＳＴ２８のＹＥＳ）のいずれかであった場合、ＭＯＴＥＣＵ３３は、モータ制振の制振トルクリミット値を０［Ｎ・ｍ］と設定する（ステップＳＴ３１）。
【００４９】
（制振トルク指示値算出処理）
次に、図２に示すモータ制振要否判断処理のステップＳＴ７で実行される、モータ制振における制振トルク指示値の算出処理の詳細について説明する。図６は、ＭＯＴＥＣＵ３３による制振トルク指示値算出処理動作を示すフローチャートである。
図６において、まずＭＯＴＥＣＵ３３は、エンジン回転数センサＳ２が検出する内燃機関Ｅのエンジン回転数ＮＥと、吸気管負圧センサＳ７が検出する内燃機関Ｅの吸気管負圧ＰＢとから、エンジン回転数ＮＥと吸気管負圧ＰＢとで規定された制御マップに基づいて、休筒運転中の内燃機関Ｅのエンジントルクによるトルク振動を改善するための制振トルク要求値を算出する（ステップＳＴ４１）。
【００５０】
次に、ＭＯＴＥＣＵ３３は、筒内圧センサＳ１６が検出する内燃機関Ｅの筒内圧ＣＰＬから、筒内圧ＣＰＬ対制振トルク要求値特性に基づいて、同様に休筒運転中の内燃機関Ｅのエンジントルクによるトルク振動を改善するための制振トルク要求値を算出する（ステップＳＴ４２）。
また、ＭＯＴＥＣＵ３３は、集音マイク３８により集音された車室内の音から、マイク音対制振トルク要求値特性に基づいて、休筒運転中の内燃機関Ｅによる車室内のこもり音レベルの悪化を改善するための制振トルク要求値を算出する（ステップＳＴ４３）。
【００５１】
更に、ＭＯＴＥＣＵ３３は、補助バッテリ電圧センサＳ１９が検出する補助バッテリ４の入出力電圧ＨＶＢＡＴ（１２［Ｖ］系電圧）から、１２［Ｖ］系電圧対制振トルク要求値特性に基づいて、１２［Ｖ］系電圧の低下により発生する制振装置１９における車体振動の抑制力低下を補償するための制振トルク要求値を算出する（ステップＳＴ４４）。
そして、ステップＳＴ４１からステップＳＴ４４において算出された各制振トルク要求値の中で最大の制振トルク要求値を、モータ制振の制振トルク指示値として設定する（ステップＳＴ４５）。
【００５２】
（モータ制振処理）
次に、図２に示すモータ制振要否判断処理のステップＳＴ１０で実行されるモータＭを利用したモータ制振の詳細について説明する。図７は、ＭＯＴＥＣＵ３３によるモータ制振の制御ブロック図である。
図７において、ＭＯＴＥＣＵ３３によるモータ制振の制御ブロックは、周期カウントレジスタ５１と、クランク角演算部５２と、回転速度演算部５３と、タイマカウント部５４と、平均値算出部５５と、位相角検索部５６と、合成器５７と、矩形波発生部５８と、振幅検索部５９と、振幅制限算出部６０と、合成器６１と、ＯＮ／ＯＦＦスイッチ６２とによる制振位相・振幅算出部１００と、合成器６３と、ＰＩ制御部６４と、トルクリミット処理部６５とによるモータトルク算出部１０１とを備えて構成されている。
【００５３】
図７に示すように、まず周期カウントレジスタ５１では、内燃機関Ｅのピストンの圧縮上死点位置ＴＤＣを検出するクランク角センサＳ１５の出力するＴＤＣパルスの周期を算出してクランク角演算部５２へ入力する。クランク角演算部５２では、回転角センサＳ１４が検出するモータＭのロータ角度θＭＯＴと、周期カウントレジスタ５１が算出するＴＤＣパルスの周期から、クランク角度、すなわち内燃機関Ｅの各気筒の爆発行程のタイミングを算出する。具体的には、図８に示すように、例えば内燃機関Ｅを構成する６気筒のピストンに対応した”（ａ）ＴＤＣパルス”から、気筒２、４、６が休筒する休筒運転時の３気筒のピストンに対応した”（ｂ）制振制御用パルス”を生成すると共に、”（ｃ）モータＭのロータ角度θＭＯＴ”と、”（ｂ）制振制御用パルス”とを比較して、例えば”（ｄ）気筒１の行程区別”のように、気筒１の爆発行程、掃気行程、吸気行程、圧縮行程の各タイミングを算出する。また、同様な方法で気筒３、５についても爆発行程、掃気行程、吸気行程、圧縮行程の各タイミングを算出する。
【００５４】
また、回転速度演算部５３は、タイマカウント部５４の発生する一定間隔パルスに基づいて、ＴＤＣパルスの変化をカウントすることにより、内燃機関Ｅのエンジン回転数ＮＥを算出する。また、平均値算出部５５は、吸気管負圧センサＳ７が検出する、内燃機関Ｅのエンジントルク情報を表す内燃機関Ｅの吸気管負圧ＰＢを平均し、位相角検索部５６では、エンジン回転数ＮＥと吸気管負圧ＰＢとで規定された制御マップに基づいて、モータ制振の制振トルクに必要な最適な位相角を算出する。
これにより、クランク角演算部５２により算出された内燃機関Ｅの爆発行程のタイミングと、位相角検索部５６で算出されたモータ制振の制振トルクに必要な最適な位相角とが合成器５７で合成され、合成されたタイミングと位相角とに基づいて、矩形波発生部５８が、休筒運転中の内燃機関Ｅの動作しているそれぞれの気筒の爆発行程に合わせた矩形波を発生する。
【００５５】
一方、振幅検索部５９では、回転速度演算部５３により算出された内燃機関Ｅのエンジン回転数ＮＥと、平均値算出部５５により平均化された内燃機関Ｅの吸気管負圧ＰＢとから、エンジン回転数ＮＥと吸気管負圧ＰＢとで規定された制御マップに基づいて、モータ制振の制振トルクに必要な最適な振幅を算出する。また、振幅制限算出部６０では、制振トルクリミット値算出処理で算出された制振トルクリミット値により、振幅検索部５９で算出されたモータ制振の制振トルクの振幅を制限する。そして、合成器６１において、矩形波発生部５８が発生する矩形波に、振幅制限算出部６０が出力する振幅が合成され、モータ制振の制振トルク指示値（モータトルクのＡＣ成分）が、モータ制振を実行するか否かを制御するＯＮ／ＯＦＦスイッチ６２へ出力される。ＯＮ／ＯＦＦスイッチ６２では、モータ制振要否判断処理のステップＳＴ８におけるＦＩ／ＡＴ／ＭＧＥＣＵ３６によるモータ制振許可判断の結果が「モータ制振可」である場合、モータ制振の制振トルク指示値（モータトルクのＡＣ成分）が合成器６３へ出力される。
【００５６】
また、ＰＩ制御部６４では、ＦＩ／ＡＴ／ＭＧＥＣＵ３６によって算出された内燃機関ＥとモータＭとのトルク配分に従って、内燃機関ＥのアシストまたはモータＭの回生トルク指示から、ＰＩ制御によって最適なアシスト／回生トルク指示値（モータトルクのＤＣ成分）が算出され、前述の合成器６３において、モータ制振の制振トルク指示値（モータトルクのＡＣ成分）と合成されてモータトルクが算出される。
そして、算出されたモータトルクは、最終的にトルクリミット処理部６５において、図３に示したモータＭのトルクリミット値に基づいて制限処理が行われ、モータトルク指示値としてパワードライブユニット２へ出力される。
【００５７】
具体的には、図９に示すように、任意の１気筒を例にして説明すると、”（ａ）爆発行程”、”（ｂ）掃気行程”、”（ｃ）吸気行程”、”（ｄ）圧縮行程”を繰り返す際に、図９（１）に示すように、エンジントルクは”（ａ）爆発行程”でピークとなり、その他の行程では殆ど発生しない。それにより、図９（２）に示すエンジントルク変動（基本波）は、”（ａ）爆発行程”と”（ｂ）掃気行程”の間でそのピークを迎える周期特性を示す。これに対し、図９（３）に示すクランク回転数（近似値）は、図９（２）に示すエンジントルク変動（基本波）が”正”の場合は、クランク角回転数が上昇し、図９（２）に示すエンジントルク変動（基本波）が”負”の場合は、クランク角回転数が下降する特性となる。そのため、図９（３）に示すクランク回転数（近似値）は、”（ａ）爆発行程”から”（ｂ）掃気行程”にかけて、その回転数が上昇する。モータ制振では、図９（４）に示すように、内燃機関Ｅの各気筒の爆発行程の急峻なエンジントルクの立ち上がりに対抗して、パルス的に回生トルクを加えることで、クランク角回転数の変動を抑制する。
【００５８】
（モータ制振処理の別形態）
次に、図２に示すモータ制振要否判断処理のステップＳＴ１０で実行される、ＭＯＴＥＣＵ３３によるモータ制振の別の形態について説明する。図１０は、ＭＯＴＥＣＵ３３によるモータ制振の別の形態の制御ブロック図である。本実施例のハイブリッド車両の制御装置では、図７で示したＭＯＴＥＣＵ３３によるモータ制振の制御ブロックの代わりに、図１０に示すＭＯＴＥＣＵ３３によるモータ制振の別の形態の制御ブロックを用いて、モータ制振を実行しても良い。
【００５９】
具体的には、図１０において、ＭＯＴＥＣＵ３３によるモータ制振の別の形態の制御ブロックは、周期カウントレジスタ５１と、クランク角演算部５２と、矩形波発生部５８と、休筒運転エンジントルク算出部７１と、位相角検索部７２と、振幅検索部７３と、振幅制限算出部６０と、合成器６１と、ＯＮ／ＯＦＦスイッチ６２とによる制振位相・振幅算出部１００と、合成器６３と、ＰＩ制御部６４と、トルクリミット処理部６５とによるモータトルク算出部１０１とにより構成される。
【００６０】
図１０に示すように、まず周期カウントレジスタ５１では、内燃機関Ｅのピストンの圧縮上死点位置ＴＤＣを検出するクランク角センサＳ１５の出力するＴＤＣパルスの周期を算出してクランク角演算部５２へ入力する。クランク角演算部５２では、回転角センサＳ１４が検出するモータＭのロータ角度θＭＯＴと、周期カウントレジスタ５１が算出するＴＤＣパルスの周期から、クランク角度、すなわち内燃機関Ｅの各気筒の爆発行程のタイミングを算出する。
【００６１】
また、休筒運転エンジントルク算出部７１では、筒内圧センサＳ１６が検出する、内燃機関Ｅのエンジントルク情報を表す内燃機関Ｅの筒内圧ＣＰＬから休筒運転エンジントルクを算出し、位相角検索部７２では、クランク角度と休筒運転エンジントルクとで規定された制御マップに基づいて、モータ制振の制振トルクに必要な最適なタイミング及び位相角を算出する。これにより、位相角検索部７２で算出されたモータ制振の制振トルクに必要な最適なタイミング及び位相角に基づいて、矩形波発生部５８が、休筒運転中の内燃機関Ｅの動作しているそれぞれの気筒の爆発行程に合わせた矩形波を発生する。
【００６２】
一方、振幅検索部７３では、休筒運転エンジントルク算出部７１が算出した休筒運転エンジントルクから、休筒運転エンジントルク対制振トルク振幅特性に基づいて、モータ制振の制振トルクに必要な最適な振幅を算出する。また、振幅制限算出部６０では、制振トルクリミット値算出処理で算出された制振トルクリミット値により、振幅検索部５９で算出されたモータ制振の制振トルクの振幅を制限する。そして、合成器６１において、矩形波発生部５８が発生する矩形波に、振幅制限算出部６０が出力する振幅が合成され、モータ制振の制振トルク指示値（モータトルクのＡＣ成分）が、モータ制振を実行するか否かを制御するＯＮ／ＯＦＦスイッチ６２へ出力される。ＯＮ／ＯＦＦスイッチ６２では、モータ制振要否判断処理のステップＳＴ８におけるＦＩ／ＡＴ／ＭＧＥＣＵ３６によるモータ制振許可判断の結果が「モータ制振可」である場合、モータ制振の制振トルク指示値（モータトルクのＡＣ成分）が合成器６３へ出力される。
【００６３】
また、ＰＩ制御部６４では、ＦＩ／ＡＴ／ＭＧＥＣＵ３６によって算出された内燃機関ＥとモータＭとのトルク配分に従って、内燃機関ＥのアシストまたはモータＭの回生トルク指示から、ＰＩ制御によって最適なアシスト／回生トルク指示値（モータトルクのＤＣ成分）が算出され、前述の合成器６３において、モータ制振の制振トルク指示値（モータトルクのＡＣ成分）と合成されてモータトルクが算出される。
そして、算出されたモータトルクは、最終的にトルクリミット処理部６５において、図３に示したモータＭのトルクリミット値に基づいて制限処理が行われ、モータトルク指示値としてパワードライブユニット２へ出力される。
【００６４】
なお、モータＭを駆動するための電力を蓄電する装置は、バッテリ３に限らず、直流電力を蓄電可能な、キャパシタ等を含む蓄電装置（エネルギーストレージデバイス）であれば何を用いても良い。同様に、低電圧駆動の各補機類に低電圧の直流電力を供給する装置は、補助バッテリ４に限らず、直流電力を蓄電可能な、キャパシタ等を含む蓄電装置（エネルギーストレージデバイス）であれば何を用いても良い。
【００６５】
以上説明したように、本実施例のハイブリット車両の制御装置によれば、内燃機関Ｅ、または内燃機関Ｅに連結されたモータＭの少なくとも一方の動力により走行可能なハイブリット車両の制御装置において、ＦＩ／ＡＴ／ＭＧＥＣＵ３６及びＭＯＴＥＣＵ３３が、内燃機関Ｅのトルク振動を低減するために、内燃機関Ｅの爆発行程で発生するトルクに対して逆位相となるタイミングで、モータＭに矩形波状に変化する制振トルクを発生させることで、内燃機関Ｅのトルク変動の一番強い部分へ効果的にモータＭの制振トルクを作用させ、モータＭと連結された内燃機関Ｅのトルク振動を抑制することができる。
【００６６】
特に、制振トルクを、筒内圧センサＳ１６が検出する内燃機関Ｅの筒内圧ＣＰＬや集音マイク３８により集音された車室内の音、更には補助バッテリ電圧センサＳ１９が検出する補助バッテリ４の入出力電圧ＨＶＢＡＴ（１２［Ｖ］系電圧）に基づいて制御することで、エンジンの変動、車室内のこもり音悪化、１２［Ｖ］系電圧の低下により発生する制振装置１９における車体振動の抑制力低下に応じた具体的な制振トルクの制御を可能とし、モータＭと連結された内燃機関Ｅのトルク振動を的確に抑制することができる。
【００６７】
従って、クランクシャフトに逆トルクを与える発電装置やクランクシャフトに正トルクを与える電気駆動装置等、本来車両が走行するために必要な装置以外の装置を備える必要がないため、コストの上昇、あるいは車両の複雑化や大型化を招くことなく内燃機関Ｅのトルク振動を抑制するハイブリット車両の制御装置を実現することができるという効果が得られる。
【００６８】
具体的に説明すると、図１１（１）は、モータ制振トルク波形を正弦波とした場合のエンジン出力トルク波形とモータ制振トルク波形との位相関係を示した図であって、基準パルスａの一周期３６０°を基準として、エンジン出力トルク波形ｂとモータ制振トルク波形（正弦波）ｃとの位相は２９０°ずれている。これに対し、図１１（２）は、モータ制振トルク波形を矩形波とした場合のエンジン出力トルク波形とモータ制振トルク波形との位相関係を示した図であって、基準パルスａの一周期３６０°を基準として、エンジン出力トルク波形ｂとモータ制振トルク波形（矩形波）ｄとの位相は３１５°ずれている。
【００６９】
このような２種類のモータ制振トルク波形の効果について比較すると、図１２に示すようになる。図１２は、モータ制振トルク波形を正弦波、あるいは矩形波とした場合の制振トルク（ピーク値）に対するエンジンマウント上下振動レベルを比較した図であって、”（２）矩形波によるモータ制振”の方が、”（１）正弦波によるモータ制振”より、制振トルク（ピーク値）に対してエンジンマウント上下振動レベルが一様に低く抑えられていることがわかる。
【図面の簡単な説明】
【００７０】
【図１】本発明の一実施例のハイブリッド車両の制御装置に係るパラレルハイブリッド車両の構成を示す図である。
【図２】同実施例のハイブリット車両の制御装置の制御部によるモータ制振要否判断処理動作を示すフローチャートである。
【図３】モータ制振における制振トルクのリミット値を決定する要素であるモータのトルクリミット値を示す図である。
【図４】モータ制振における制振トルクのリミット値を決定する要素であるバッテリの電力リミット値を示す図である。
【図５】同実施例のハイブリット車両の制御装置の制御部による制振トルクリミット値算出処理動作を示すフローチャートである。
【図６】同実施例のハイブリット車両の制御装置の制御部による制振トルク指示値算出処理動作を示すフローチャートである。
【図７】同実施例のハイブリット車両の制御装置の制御部によるモータ制振の制御ブロック図である。
【図８】同実施例のハイブリット車両の制御装置の制御部による内燃機関Ｅの各気筒における行程別のタイミング算出方法を示す図である。
【図９】同実施例のハイブリット車両の制御装置の制御部によるモータ制振の制振トルクの位相を示す図である。
【図１０】同実施例のハイブリット車両の制御装置の制御部によるモータ制振の別の形態の制御ブロック図である。
【図１１】モータ制振トルク波形を正弦波、あるいは矩形波とした場合のエンジン出力トルク波形とモータ制振トルク波形との位相関係を示した図である。
【図１２】モータ制振トルク波形を正弦波、あるいは矩形波とした場合の制振トルク（ピーク値）に対するエンジンマウント上下振動レベルを比較した図である。
【符号の説明】
【００７１】
Ｅ    内燃機関（エンジン）
Ｍ    モータ（走行用モータ）
４    補助バッテリ（低電圧バッテリ）
１９    制振装置（補機類）
３３    ＭＯＴＥＣＵ（制振制御手段）
３６    ＦＩ／ＡＴ／ＭＧＥＣＵ（制振制御手段）
３８    集音マイク（音検出手段）
Ｓ１６    筒内圧センサ
【図１】
2005065408.tif 000003
【図２】
2005065408.tif 000004
【図３】
2005065408.tif 000005
【図４】
2005065408.tif 000006
【図５】
2005065408.tif 000007
【図６】
2005065408.tif 000008
【図７】
2005065408.tif 000009
【図８】
2005065408.tif 000010
【図９】
2005065408.tif 000011
【図１０】
2005065408.tif 000012
【図１１】
2005065408.tif 000013
【図１２】
2005065408.tif 000014